(57)【要約】【課題】エレベータの保守作業時に、エレベータ昇降路のピットヘ降りるための斜めに立てた折り畳みピット収納式梯子にかごが突き下げた際に衝突する惧れがあった。【解決手段】エレベータのピット底面１１ａに水平方向に設けられた梯子保持枠２と、この梯子保持枠に寝かすように保持された脚立などの梯子３とを備えるようにしたものである。梯子を梯子保持枠に収納しているときは、ピット底面と平行の梯子保持枠に収納されているため嵩張らず、高さを小さく納めることができる。【選択図】図１
2008114975.tif 000002
【特許請求の範囲】
【請求項１】
エレベータのピット底面に平行に設けられた梯子保持枠と、この梯子保持枠に水平方向に寝かすように保持された梯子とを備えてなることを特徴とするピット梯子装置。
【請求項２】
上記梯子保持枠は、上記梯子の両側部を保持するガイド部と、該梯子を使用するときに該梯子の下端部を係止する係止部が設けられていることを特徴とする請求項１記載のピット梯子装置。
【請求項３】
上記ピットの上部における乗場敷居のエプロン部に、上記梯子使用時に該梯子の上部を支持し得る梯子支持腕が出し入れ可能に収容されていることを特徴とする請求項１または請求項２記載のピット梯子装置。
【請求項４】
上記梯子の上部と上記ピットの上部における乗場敷居下部とを連結するように設けられた上記梯子引き上げ用の可撓条体を備えていることを特徴とする請求項１ないし請求項３の何れかに記載のピット梯子装置。
【請求項５】
上記梯子の下端部側面に突出された凸部と、上記梯子保持枠に設けられ、該梯子の上端側を引き上げる過程で該梯子の凸部に係合して該梯子が該梯子保持枠から外れるのを防ぐ押さえ枠を備えていることを特徴とする請求項１ないし請求項４の何れかに記載のピット梯子装置。
【請求項６】
上記梯子は、折り畳み可能に形成された脚立からなることを特徴とする請求項１ないし請求項５の何れかに記載のピット梯子装置。
【請求項７】
上記梯子保持枠に保持された梯子を引上げると作動する第１の保守運転切替えスイッチ及び上記梯子支持腕が引出されると作動する第２の保守運転切替えスイッチを備え、これら第１及び第２の保守運転切替えスイッチとエレベータとが連動制御されていることを特徴とする請求項３ないし請求項６の何れかに記載のピット梯子装置。
【発明の詳細な説明】
【技術分野】
【０００１】
この発明はエレベータの昇降路ピット部分に保守時乗場から降りる場合に使い勝手が良くて、しかも収納スペースを小さく納めることができるピット梯子装置に関する。
【背景技術】
【０００２】
従来のエレベータの昇降路底部に設けられたピットに設置するピット梯子装置として、
昇降路のピットに設けられた保持台と、一端が上記昇降路の乗場に連結されて上記ピットに下垂された可撓条体と、一側が上記乗場の縁部に係合された支持金具と、上記可撓条体の下端に一端が連結され、他端は上記保持台に着脱自在に係合されて常時は倒伏位置に配置され、要時に上記可撓条体の操作によって上記保持台から上方に起立し上記支持金具の他側に連結された起立使用位置及び上記保持台から離脱されて上記昇降路のピットの上方位置に装着された離脱使用位置のいずれかに配置される梯子とを備えたものがある（例えば特許文献１参照。）。
【０００３】
【特許文献１】特開２００３−２５２５４３号公報（第１頁、図１）
【発明の開示】
【発明が解決しようとする課題】
【０００４】
最近はいわゆる機械室レスエレベータが増えている。これは専用の機械室が不要でしかも昇降路のピットや頂部隙間も小さく納められることで建築効率が良いことから採用されるケースが多い。このようなエレベータはピット深さが小さいことから、万一にエレベータかごが突下げた時や、着床誤差が大きく出たときにはカゴ床の枠に吊り下げたエレベータかご重心調整用の錘などが床の下に大きく出ているため、上記特許文献１に示す技術では折畳んだ梯子に衝突する惧れがあるという課題があった。
【０００５】
この発明は、かかる従来技術の課題を解決するためになされたもので、機械室レスエレベータのように昇降路ピットが浅い場合でもエレベータかご、あるいはエレベータかご重心調整用のおもりなどに干渉する惧れのないピット梯子装置を提供することを目的とするものである。
【課題を解決するための手段】
【０００６】
この発明におけるピット梯子装置は、エレベータのピット底面に平行に設けられた梯子保持枠と、この梯子保持枠に水平方向に寝かすように保持された梯子とを備えるようにしたものである。
【発明の効果】
【０００７】
この発明においては、エレベータのピット底面に平行に設けられた梯子保持枠と、この梯子保持枠に水平方向に寝かすように保持された梯子とを備えるようにしたので、ピット底面からの高さが嵩張らず、エレベータかごの底部、あるいはエレベータかご重心調整用の錘などとの干渉を回避できる。
【発明を実施するための最良の形態】
【０００８】
実施の形態１．
図１〜図９はこの発明の実施の形態１によるピット梯子装置を示すもので、図１は昇降路のピットに設置したときの全体構成を概略的に示す要部側面図、図２は図１に示された梯子保持枠を示す平面図、図３は図２に示された部分をピット側より乗場方向を見たときの正面図（図２のＩＩＩ−ＩＩＩ線における矢視断面図で図示）であり、図２、図３には梯子は示されていない。図４は図３のＩＶ−ＩＶ線における矢視断面図、図５は図３相当の図で梯子収納枠に梯子を収納した状態を示す正面図、図６は図３に示された収納式の梯子支持腕を９０度開いた状態を示す図１相当の側面断面図、図７は可撓条体により梯子保持枠上の梯子を引上げる状態を示す図、図８は図７に示す引上げ動作の後、梯子の脚を梯子保持枠に設けられた係止部に係止させた状態を示す図、図９は図８に示す作業の後、梯子の上部を梯子支持腕に掛けた状態を示す図である。
【０００９】
図において、ピット梯子装置１は、エレベータのかご１０が上下する昇降路下部に設けられたピット１１のピット底面１１ａに略平行に、ないしは水平に設けられた梯子保持枠２と、この梯子保持枠２に畳まれた状態で水平方向に寝かすように保持された梯子３と、乗場１２の乗場敷居１３下部に設けられた乗場エプロン１４の裏側の空間からなるエプロン部１４ａに出し入れ可能に収容され、梯子３使用時に該梯子３の上部を支持し得る梯子支持腕４を備えている。なお、この例では梯子３はヒンジ兼直線ロック部を構成する折畳み部３１で２つ折りに畳むことが出来る脚立が用いられている。梯子保持枠２は、ピット底面１１ａに平行（水平方向）に並設された断面Ｌ形のアングル状の２本の保持部材２１と、保持部材２１の両端部にそれぞれ溶接等で固着された取付金具２２、２３と、取付金具２２をピット底面１１ａに、取付金具２３を壁面に固定するアンカーボルト２４からなる。
【００１０】
２本の保持部材２１は、長さが梯子３を折り畳んだときの長さよりも若干長く、中心部に対し立辺を何れも外側にして対向させ、該立辺の内側の間隔を梯子３の幅よりも若干広くして、該立辺を梯子３が幅方向に外れないように保持するガイド部２１ａとして用い、水平片は梯子３の両側部を重力方向に保持する保持部２１ｂとして用いている。該保持部材２１の保持部２１ｂの所定部には梯子３を立て掛けたときにその下端部を係止するためのＶ字形の凹部からなる係止部２５が設けられている。梯子支持腕４は、ピット１１の壁面に固定された支持部材４１に設けられたピン４２に約９０°回動可能に設けられ、常時はエプロン部１４ａに収容され、保守作業時は該梯子支持腕４の先端部に取り付けられた取手（兼ずれ止め）４３を昇降路側に引出すように操作することで回動され、乗場エプロン１４に設けられたエプロン開口１４ｂから昇降路側に突出される。
【００１１】
上記の他、梯子保持枠２には、保持された梯子３を引上げると作動する第１の保守運転切替えスイッチ５ａが、乗場エプロン１４には、梯子支持腕４が引出されると作動する第２の保守運転切替えスイッチ５ｂが設けられ、これら第１及び第２の保守運転切替えスイッチ５ａ、５ｂはエレベータと連動制御されている（詳細図示省略）。また、梯子３の上方側先端部と乗場敷居１３の下端部を結ぶように設けられた鎖、ロープ、紐などの可撓条体６が備えられ、作業者Ｍが梯子３を引き上げ易く構成されている。なお、ピット底面１１ａには緩衝器１５が、乗場敷居１３部には乗場の戸１６が、かご１０の下部にはかご重心調整用の錘１０ａが、それぞれ設けられている。なお、各図を通じて同一符号は同一もしくは相当部分を示すものとする。
【００１２】
次に、上記のように構成された実施の形態１の基本動作について説明する。まず、かご１０を最下階より上に移動し図示省略している鍵外し装置で乗場の戸１６の鍵を外し、戸１６を手動で開放する。次に乗場敷居１３の下部に設けられた乗場エプロン１４のエプロン開口１４ｂから図４に示すように上方に突き出ている梯子支持腕４の取手４３に手を伸ばして梯子支持腕４を引出すと、図６に示すように９０度開いたところで固定される。次に敷居１３下端部から吊下げた可撓条体６で梯子３を図７に示すように引き上げ、梯子３の折畳み部３１を伸ばし、図８のように直線状にした状態でロックする。更に梯子３を上方より引き上げ気味にして下端を梯子保持枠２の係止部（凹部）２５に移動して図８に示すように係止させる。最後に梯子３の上部を図９に示すように梯子支持腕４に立て掛けることで、使用可能となる。
【００１３】
なお、上記梯子支持腕４に設けられた取手４３は、該梯子支持腕４の先端部上端から上方に突出させているので、梯子３が幅方向にずれて梯子支持腕４から外れるのを防いでいる。また、梯子３として、折り畳み可能な脚立を用いたが、これに限定されるものではない。例えばピット１１が浅く、面積も広く、長い梯子を寝かせて設置できる場合には通常の折り畳みが出来ない梯子を用いても良い。また、ピット梯子装置は、最低限上記梯子保持枠２及び梯子３を備えることでこの発明の効果を奏することが出来る。梯子支持腕４、可撓条体６、及び第１及び第２の保守運転切替えスイッチ５ａ、５ｂなどは、設備することが好ましいが、必ずしも設けられていなくてもよい。なお、第１及び第２の保守運転切替えスイッチ５ａ、５ｂの動作については下記実施の形態３で説明する。
【００１４】
上記のように、実施の形態１によれば、エレベータのピット底面１１ａに平行に設けられた梯子保持枠２と、この梯子保持枠２に水平方向に寝かして保持された梯子３とを備えるようにしたので、ピット底面１１ａからの高さが嵩張らず、１点鎖線で示すかご１０の正常停止位置に対し、何らかの異常でかご１０が２点差線で示す下方に突き下げ、緩衝器１５が作用して停止したときでも、かご１０の底部、あるいはエレベータかご重心調整用の錘１０ａなどに干渉する惧れを回避できる。特に、機械室レスエレベータのようにピット１１が浅いものにおいて好適である。また、梯子保持枠２に係止部２５を設けたので、梯子３の使用中下端が安定し、安全性が向上する。なた、エプロン部１４ａに梯子支持腕４を出し入れ可能に設けたことにより、梯子３の上部の係止が容易で、乗場１２からの利用もし易い。さらに、可撓条体６を設けたことにより、梯子３を引き上げるのが容易である。
【００１５】
実施の形態２．
図１０〜図１２はこの発明の実施の形態２によるピット梯子装置を示すもので、図１０は図５相当の梯子収納時の正面図、図１１は図１０のＸＩ−ＸＩ線における矢視断面図、図１２は図１１の梯子を立てた状態を示す要部断面図である。図において、脚立からなる梯子３Ａの下端部両側方にはピン状の凸部３２が突設されている。また、梯子保持枠２Ａを構成する２本の保持部材２１の各立辺上端には、該梯子３Ａの上端側を引き上げる過程で該梯子３Ａの凸部３２に係合して該梯子３Ａが梯子保持枠２Ａから外れるのを防ぐ押さえ枠２６がそれぞれ固定されている。なお、押さえ枠２６は図１０に示すように係止部２５の上方部から梯子３Ａの下端部（図の右端部）にわたって設置されている。その他の構成は実施の形態１と同様であるので説明を省略する。
【００１６】
上記のように構成された実施の形態２においては、梯子３Ａの上端部側を可撓条体６によって引き上げるとき、梯子３Ａの下端部側面に突設された凸部３２が押さえ枠２６によって係止されるので、２つ折りに畳まれた上部側のみが持上げられる。さらに、梯子３Ａを伸ばして、梯子３Ａを立てた状態で該梯子３Ａの下端を図１０の右端部より梯子位置決め用の凹部からなる係止部２５まで移動するときに、同様に凸部３２が押さえ枠２６によって係止されるので、梯子３Ａが梯子保持枠２Ａから外れることを防止出来る。梯子操作は梯子３Ａの上部を持ち上げ気味にして操作するため、梯子保持枠２Ａから梯子３Ａを落とす惧れがあるがそれを防ぐことができる。
【００１７】
実施の形態３．
この発明の実施の形態３は、図３、図４に示す第１及び第２の保守運転切替えスイッチ５ａ、５ｂの動作と、図示省略しているエレベータの運転制御とを連動させるようにしたものである。以下、図３、図４を参照して説明する。梯子保持枠２に載置された梯子３を引上げ始めると梯子保持枠２に備えた保守運転切替えスイッチ５ａが作動してエレベータの速度を自動で保守運転モードに切替える。また乗場敷居１３下のエプロン１４に備えた梯子支持腕４を引き出すと、保守運転切替えスイッチ５ｂが作動してやはり同じようにエレベータの速度を自動で保守運転モードに切替える。
このように保守運転切替えスイッチ５ａ、５ｂとエレベータ運転制御を連動することで、保守作業時の安全を確保することができる。
【図面の簡単な説明】
【００１８】
【図１】この発明の実施の形態１によるピット梯子装置を昇降路のピットに設置したときの全体構成を概略的に示す要部側面図。
【図２】図１に示された梯子保持枠を示す平面図。
【図３】図２に示された部分をピット側より乗場方向を見たときの正面図（図２のＩＩＩ−ＩＩＩ線における矢視断面図で図示）。
【図４】図３のＩＶ−ＩＶ線における矢視断面図。
【図５】図３相当の図で梯子収納枠に梯子を収納した状態を示す正面図。
【図６】図３に示された収納式の梯子支持腕を９０度開いた状態を示す図１相当の側面断面図。
【図７】可撓条体で梯子保持枠上の梯子を引上げる状態を示す図。
【図８】図７に示す引上げ動作の後、梯子の脚を梯子保持枠に設けられた係止部に係止させた状態を示す図。
【図９】図８に示す作業の後、梯子の上部を梯子支持腕に掛けた状態を示す図。
【図１０】この発明の実施の形態２によるピット梯子装置の図５相当の梯子収納時の正面図。
【図１１】図１０のＸＩ−ＸＩ線における矢視断面図。
【図１２】図１１の梯子を立てた状態を示す要部断面図。
【符号の説明】
【００１９】
１  ピット梯子装置、  ２、２Ａ  梯子保持枠、  ２１  保持部材、  ２１ａ  ガイド部、  ２１ｂ  保持部、  ２２、２３  取付金具、  ２４  アンカーボルト、  ２５  係止部、  ２６  押さえ枠、  ３、３Ａ  梯子（脚立）、  ３１  折畳み部、  ３２  凸部、  ４  梯子支持腕、  ４１  支持部材、  ４２  ピン、  ４３  取手（兼ずれ止め）、  ５ａ  第１の保守運転切替えスイッチ、  ５ｂ  第２の保守運転切替えスイッチ、  ６  可撓条体、  １０  かご、  １０ａ  錘、  １１  ピット、  １１ａ  ピット底面、  １２  乗場、  １３  乗場敷居、  １４  乗場エプロン、  １４ａ  エプロン部、  １４ｂ  エプロン開口、  １５  緩衝器、  １６  戸。
【図１】
2008114975.tif 000003
【図２】
2008114975.tif 000004
【図３】
2008114975.tif 000005
【図４】
2008114975.tif 000006
【図５】
2008114975.tif 000007
【図６】
2008114975.tif 000008
【図７】
2008114975.tif 000009
【図８】
2008114975.tif 000010
【図９】
2008114975.tif 000011
【図１０】
2008114975.tif 000012
【図１１】
2008114975.tif 000013
【図１２】
2008114975.tif 000014